(57)【特許請求の範囲】
【請求項１】
１乃至複数の発光ダイオードを備える主光源と、外部電源から供給される電力を変換して前記主光源に点灯電力を供給する点灯装置と、２次電池と、前記外部電源が停電すると前記２次電池から点灯電力が供給されることで点灯する非常用光源と、前記主光源、前記点灯装置、前記２次電池、前記非常用光源を収納する器具本体とを備え、前記器具本体には、外気を前記器具本体内部に導入するとともに、当該外気が前記２次電池の近傍を通過して前記器具本体の外部へと放出される通気路を形成する通気孔が設けられ、
前記器具本体における前記主光源が発光する側と反対側には、前記器具本体が設置される壁面と前記器具本体との間に隙間を確保するためのスペーサが設けられ、前記通気孔は、前記スペーサに設けられることを特徴とする非常用照明器具。
【請求項２】
前記２次電池は、前記器具本体の内面に取り付けられる電池ホルダに保持され、前記電池ホルダは、前記器具本体の熱伝導率よりも小さい熱伝導率を有する材料から成ることを特徴とする請求項１記載の非常用照明器具。
【発明の詳細な説明】
【技術分野】
【０００１】
本発明は、非常用照明器具に関する。
【背景技術】
【０００２】
従来から、非常時の避難通路となる階段及び踊り場を照明する階段踊り場用非常用照明器具が知られており、例えば特許文献１に開示されている。この特許文献１に記載の非常用照明器具は、階段踊り場の壁面などに取り付けられ、前面透光カバーと下面透光カバーを有し、直管形蛍光ランプを備えて、該蛍光ランプの光を反射する反射板を有する。この反射板が、それぞれ前面透光カバーと下面透光カバーの輝度を高めるように形成されているので、上り階段と下り階段に蛍光ランプの光を有効に配分し、上り階段と下り階段の照度を増大させることができる。
【先行技術文献】
【特許文献】
【０００３】
【特許文献１】実開昭６３−９８９２１号公報
【発明の概要】
【発明が解決しようとする課題】
【０００４】
ところで、上記特許文献１に記載の非常用照明器具は、主光源として蛍光ランプを用いているが、近年では、非常用照明器具の光源として低消費電力で且つ長寿命の発光ダイオードを用いることが提案されている。発光ダイオードを主光源として用いる場合には、発光ダイオードの発光に伴う発熱により、発光ダイオードの寿命が劣化する虞がある。そこで、対策としては、発光ダイオードが発する熱を金属製の器具本体に逃がしてやることが考えられる。
【０００５】
一方、非常用照明器具では、通常時に点灯する主光源とは別に、停電時などの非常時に点灯するハロゲンランプ等から成る非常用光源が備えられている。この非常用光源は、器具本体内に設けられた２次電池により点灯電力が供給されるようになっている。また、２次電池は、通常時には主光源を点灯させる点灯装置から供給される電力によって充電される。
【０００６】
このような２次電池は、一般的に高温環境での使用には向いておらず、例えば４５度以下で使用されるのが望ましい。しかしながら、発光ダイオードを主光源として用いる非常用照明器具では、上述のように発光ダイオードの発光に伴う発熱があるため、当該熱が器具本体内部に篭もることにより２次電池の温度が上昇し、電池の寿命が劣化するという問題が生じる。勿論、上述のように発光ダイオードが発する熱を金属製の器具本体に逃がしてやることが考えられるが、これだけでは２次電池の温度の上昇を防ぐには十分ではないという問題があった。
【０００７】
本発明は、非常用光源の電源である２次電池の温度の上昇を防ぐことのできる非常用照明器具を提供することを目的とする。
【課題を解決するための手段】
【０００８】
本発明の非常用照明器具は、１乃至複数の発光ダイオードを備える主光源と、外部電源から供給される電力を変換して前記主光源に点灯電力を供給する点灯装置と、２次電池と、前記外部電源が停電すると前記２次電池から点灯電力が供給されることで点灯する非常用光源と、前記主光源、前記点灯装置、前記２次電池、前記非常用光源を収納する器具本体とを備え、前記器具本体には、外気を前記器具本体内部に導入するとともに、当該外気が前記２次電池の近傍を通過して前記器具本体の外部へと放出される通気路を形成する通気孔が設けられ、前記器具本体における前記主光源が発光する側と反対側には、前記器具本体が設置される壁面と前記器具本体との間に隙間を確保するためのスペーサが設けられ、前記通気孔は、前記スペーサに設けられることを特徴とする。
【０００９】
この非常用照明器具において、前記２次電池は、前記器具本体の内面に取り付けられる電池ホルダに保持され、前記電池ホルダは、前記器具本体の熱伝導率よりも小さい熱伝導率を有する材料から成ることが好ましい。
【発明の効果】
【００１１】
本発明は、非常用光源の電源である２次電池の温度の上昇を防ぐことができるという効果を奏する。
【図面の簡単な説明】
【００１２】
【図１】本発明に係る非常用照明器具の実施形態を示す図で、（ａ）は正面図で、（ｂ）は後方から見た斜視図で、（ｃ）は下面図で、（ｄ）は断面図である。
【図２】同上の非常用照明器具の全体斜視図である。
【図３】同上の非常用照明器具の分解斜視図である。
【発明を実施するための形態】
【００１３】
以下、本発明に係る非常用照明器具の実施形態について図面を用いて説明する。なお、以下の説明では、図１（ａ）における上下左右を上下左右方向、紙面手前側を前方向、紙面奥側を後方向と定めるものとする。本実施形態は、非常時の避難通路となる階段や踊り場を照明するものであって、図１（ａ）〜（ｄ）に示すように、器具本体１と、カバー２と、ＬＥＤユニット３と、点灯装置４と、ハロゲンランプ５と、２次電池６と、取付板７とを備える。
【００１４】
器具本体１は、アルミダイカスト製であって、断面コ字状の板材から成る主部１Ａと、長尺の板材から成る側部１Ｂ，１Ｃとから成る。器具本体１は、これら主部１Ａ及び側部１Ｂ，１Ｃを例えばねじ止め等により結合することで、図３に示すように前面を開口した箱体に形成される。器具本体１の内部にはＬＥＤユニット３、点灯装置４、ハロゲンランプ５、２次電池６が収納される。器具本体１の後部には、図１（ｂ）に示すように、器具本体１の外周寸法よりも一回り小さい外周寸法を有するスペーサ１０が後ろ向きに突出する形で一体に形成されている。このスペーサ１０は、器具本体１を壁面（図示せず）に設置する際に、壁面と器具本体１との間に隙間を確保する機能を有する。このスペーサ１０の上部及び下部には、それぞれ上面及び後面、下面及び後面に亘って切り欠かれた複数の通気孔１１が設けられている。これら通気孔１１により、器具本体１の内部と外部とが連通するようになっている。また、スペーサ１０の後面には、図１（ｂ）に示すように、後述する取付板７の左右両辺及び下辺と当接することで取付板７を位置決めするための位置決めリブ１２が後ろ向きに突出する形で一体に形成されている。
【００１５】
器具本体１の主部１Ａの下面には、図１（ｃ）に示すように矩形状の開口部１３が設けられており、この開口部１３から後述するハロゲンランプ５の光が下方に放射されるようになっている。また、器具本体１の各側部１Ｂ，１Ｃの前面には、図３に示すように、その長尺方向に沿って後ろ向きに窪んだ取付用溝１４がそれぞれ設けられている。これら取付用溝１４に後述するカバー２の差込片２１Ａが差し込まれるようになっている。また、器具本体１の各側部１Ｂ，１Ｃの前面には、図３に示すように、それぞれの上下両端部に円形状のねじ穴１５が設けられている。
【００１６】
カバー２は、例えばアクリル樹脂などの透光性材料から成り、器具本体１の前面と対向する主板２０と、主板２０の左右両側縁から後向きに突出する１対の側板２１とが一体に形成され、ＬＥＤユニット３からの光を拡散して前方を照明する。各側板２１の後端部には、それぞれ後向きに突出するＬ字状の差込片２１Ａが一体に形成されている。これら差込片２１Ａを器具本体１の各取付用溝１４の上端又は下端に差し込み、スライドさせることでカバー２を器具本体１に取り付けることができる（図２参照）。なお、カバー２を器具本体１に取り付けた状態では、器具本体１との間の空間の上部及び下部は外部に開放される。これにより、ＬＥＤユニット３からの光のうちカバー２の内面で反射した光が上方及び下方の空間へと放射されるため、光源の存在を目立たない照明にすることができる。また、ＬＥＤユニット３の発する熱がカバー２の内側に篭もることがなく、外部へと逃げ易くなっている。
【００１７】
ＬＥＤユニット３は、外部電源である商用電源（図示せず）が停電していない通常時に使用される主光源である。ＬＥＤユニット３は、図１（ａ）に示すように、前方へ光を放射する複数の発光ダイオード３０Ａを有する発光部３０と、反射板３１と、取付金具３２，３３とを備える。反射板３１は、器具本体１の前面とほぼ同一寸法の矩形板状に形成され、その中央部に発光部３０が設けられている。反射板３１は、例えばカバー２で反射して戻ってきた光を再度前方へと反射させる機能を有する。また、反射板３１の四隅には、図３に示すように、それぞれ円形状の取付孔３１Ａが設けられている。
【００１８】
取付金具３２，３３は、図３に示すように、何れも金属製の長尺の板材から成る。各取付金具３２，３３の上下両端部には、それぞれ円形状の取付孔３２Ａ，３３Ａが設けられている。したがって、反射板３１を挟む形で各取付金具３２，３３の取付孔３２Ａ，３３Ａと、各側部１Ｂ，１Ｃのねじ穴１５を反射板３１の取付孔３１Ａに重ねて、取付ねじＳ１によってねじ止めすることにより、ＬＥＤユニット３と側部１Ｂ，１Ｃとが一体に構成される。すなわち、ＬＥＤユニット３が器具本体１の前面に取付固定される。
【００１９】
点灯装置４は、商用電源からの交流電圧を直流電圧に変換してＬＥＤユニット３に点灯電力を供給する降圧チョッパ回路から成る電源回路（図示せず）と、商用電源の停電を検出する停電検出回路（図示せず）とを備える。また、点灯装置４は、電源回路からの電力供給を受けて２次電池６を充電する充電回路（図示せず）と、停電検出回路による商用電源の停電検出時に２次電池６から電力供給を受けてハロゲンランプ５を点灯させる点灯回路とを備える。なお、上記各回路は従来周知であるので、ここでは詳細な説明を省略する。
【００２０】
ハロゲンランプ５は、商用電源の停電時に使用される非常用光源であって、器具本体１の開口部１３を介して下向きに光を放射する。このハロゲンランプ５は、図１（ｃ）及び図３に示すように、器具本体１内側の下面に配置される反射体５０に設けられた孔５０Ａを介して外部に臨むようになっている。
【００２１】
反射体５０は、図３に示すように四角錘台状に形成され、その上面には、上述のようにハロゲンランプ５を外部に臨ませるための孔５０Ａが設けられている。したがって、商用電源の停電時には、ハロゲンランプ５からの光が直接下方の空間を照明するとともに、ハロゲンランプ５から拡散した光が反射体５０の内面で反射して下向きに放射される。また、反射体５０には、２次電池６の充電状態を表示するモニターランプ５１と、人為的に停電状態にして非常用光源の動作を点検する点検スイッチ５２とを外部に臨ませるための孔５０Ｂ，５０Ｃも設けられている。なお、モニターランプ５１及び点検スイッチ５２は従来周知であるので、ここでは詳細な説明を省略する。
【００２２】
２次電池６は、商用電源の停電時に電源となる充電可能な非常用電源であって、例えばニッケル・水素充電池やニッケル・カドミウム充電池から成る。２次電池６は、通常時においては、例えばトリクル充電等の充電方法を用いて点灯装置４の充電回路により満充電状態に保たれる。なお、本実施形態では、点灯装置４の充電回路により２次電池６を充電しているが、点灯装置４を介さない他の経路で２次電池６を充電してもよい。この２次電池６は、器具本体１内側の後面に取り付けられる電池ホルダ６０に着脱自在に装着される。
【００２３】
電池ホルダ６０は、図３に示すように、器具本体１内側の後面に取り付けられるホルダ主板６１と、ホルダ主板６１の上下両端に設けられて２次電池６を挟み込む１対の保持片６２とを一体に形成して成る。保持片６２は、何れも外向きに突出するように湾曲しており、互いに近付く向きに付勢されている。したがって、２次電池６をホルダ主板６１と接触させるように前方から押し込むと、２次電池６に押されることで各保持片６２が外側に撓むため、各保持片６２が元の状態に復帰しようとする付勢力により２次電池６が電池ホルダ６０に保持される。
【００２４】
なお、電池ホルダ６０は、器具本体１を構成するアルミダイカストよりも熱伝導率の小さい金属材料（例えば鉄など）で形成されるのが好ましい。この場合、ＬＥＤユニット３の発する熱が器具本体１を介して電池ホルダ６０へと伝導し難くなるため、２次電池６の温度上昇をより好適に防止することができる。
【００２５】
更に、本実施形態では、ホルダ主板６１の対角線上に１対のねじ穴６３を設けており、これらねじ穴６３に取付ねじ（図示せず）を挿入して器具本体１にねじ止めすることで電池ホルダ６０を器具本体１に取り付けている。このため、器具本体１から電池ホルダ６０への伝熱経路が取付ねじでねじ止めした２箇所に限定されるので、２次電池６の温度上昇を抑える効果を高めることができる。
【００２６】
取付板７は、図１（ｂ）に示すように、上下方向に長尺な矩形板状に形成され、その中央部には商用電源と接続される電源線（図示せず）を挿入するための円形状の電源線用穴７０が設けられている。また、取付板７には、壁内に埋め込み配設されたスイッチボックス（図示せず）に取り付けるための取付ねじ（図示せず）が挿入されるだるま孔状の取付穴７２及び長円形状の１対の取付穴７３が電源線用穴７０を挟んだ上下両側に設けられている。更に、取付板７には、器具本体１に取り付けるための組立ボルト（図示せず）が挿入される１対の円形状の取付穴７１が設けられている。
【００２７】
以下、本実施形態の組立方法について簡単に説明する。先ず、取付板７の各取付穴７２，７３に取付ねじを挿入してスイッチボックスにねじ止めすることで、取付板７をスイッチボックスに取付固定する。次に、スペーサ１０後面の位置決めリブ１２で囲まれた部位に取付板７を嵌め込み、各取付穴７１に組立ボルトを挿入して器具本体１の主部１Ａの内側からナットで締め付けることにより、取付板７に器具本体１の主部１Ａを取付固定する。そして、器具本体１の前面に上述のようにＬＥＤユニット３を取付固定した後、カバー２の差込片２１Ａを器具本体１の各取付用溝１４の上端又は下端に差し込み、スライドさせることでカバー２を器具本体１に取り付けることで、本実施形態が完成する。
【００２８】
上述のように、本実施形態では、器具本体１のスペーサ１０の上部及び下部に、器具本体１の内部と外部とを連通する複数の通気孔１１を設けている。これら通気孔１１により、図１（ｄ）の矢印で示すように、外気を器具本体１内部に導入するとともに、当該外気が２次電池６の近傍を通過して器具本体１の外部へと放出される通気路が形成される。したがって、下側の通気孔１１、器具本体１内部、上側の通気孔１１を通過する外気の対流により、２次電池６を冷却することができ、２次電池６の温度の上昇を防ぐことができる。
【００２９】
また、本実施形態では、器具本体１の後部に器具本体１の外周寸法よりも一回り小さい外周寸法を有するスペーサ１０を形成し、当該スペーサ１０に通気孔１１を設けている。このため、本実施形態を正面から見たときに通気孔１１が隠れるため、見栄えを良くすることができる。更に、通気孔１１がスペーサ１０の上面及び後面、下面及び後面に亘って設けられているので、何れか一面さえ開放されていれば通気孔１１としての機能を果たすことができるため、通気孔１１を塞がれ難くすることができる。
【符号の説明】
【００３０】
１  器具本体
１０  スペーサ
１１  通気孔
３  ＬＥＤユニット（主光源）
３０Ａ  発光ダイオード
４  点灯装置
５  ハロゲンランプ（非常用光源）
６  ２次電池
６０  電池ホルダ
【図１】
0005816859.tif 000002
【図２】
0005816859.tif 000003
【図３】
0005816859.tif 000004